(57)【要約】      （修正有）【課題】外形サイズが異なる多種類の円柱に対して取り付けが可能な３面取り付け金具を提供する。【解決手段】円柱に他の構造物を取り付けるための３面取り付け金具であって、前記円柱の円周に沿って配置される３個の固定金具からなり、前記各固定金具は、前記円柱の延長方向と直交する方向から見たとき、互いに対向する２つの当接部と、前記２つの当接部の前記円柱側とは反対側において前記２つの当接部を接続する接続部とを有し、前記２つの当接部は、前記円柱に当接し、凹凸が形成された円弧部を有し、前記接続部は、両端に所定の角度で立ち上がり、孔が形成された立ち上がり部を有し、前記各固定金具の前記立ち上がり部の前記孔にボルトを通してナットで締め付けることにより、前記各固定金具を前記円柱に固定する。【選択図】図１
0003142632.tif 000002
【実用新案登録請求の範囲】
【請求項１】
円柱に他の構造物を取り付けるための３面取り付け金具であって、
前記円柱の円周に沿って配置される３個の固定金具からなり、
前記各固定金具は、前記円柱の延長方向と直交する方向から見たとき、互いに対向する２つの当接部と、前記２つの当接部の前記円柱側とは反対側において前記２つの当接部を接続する接続部とを有し、
前記２つの当接部は、前記円柱に当接し、凹凸が形成された円弧部を有し、
前記接続部は、両端に所定の角度で立ち上がり、孔が形成された立ち上がり部を有し、
前記各固定金具の前記立ち上がり部の前記孔にボルトを通してナットで締め付けることにより、前記各固定金具を前記円柱に固定することを特徴とする３面取り付け金具。
【考案の詳細な説明】
【技術分野】
【０００１】
本考案は、円柱に他の構造分を取り付けるための３面取り付け金具に関するものである。
【背景技術】
【０００２】
携帯電話等の通信システムに使用される基地局用アンテナは、円柱状の支柱に取り付けられて設置される。基地局用アンテナの支柱への取り付けは取り付け金具によって行われる。
【考案の開示】
【考案が解決しようとする課題】
【０００３】
基地局用アンテナの設置においては、基地局用アンテナの大きさや種類により支柱の外形サイズが選定されるため、外形サイズの異なる支柱を揃える必要があった。
一方、支柱に基地局用アンテナを取り付けるための３面取り付け金具においても、１種類の外形サイズの支柱に対応する専用の３面取り付け金具を使用しているため、支柱の外形サイズに対応して専用の３面取り付け金具を揃える必要があった。
本考案の目的は、外形サイズが異なる多種類の円柱に対して取り付けが可能な３面取り付け金具を提供することにある。
本考案の前記並びにその他の目的と新規な特徴は、本明細書の記述及び添付図面によって明らかになるであろう。
【課題を解決するための手段】
【０００４】
本願において開示される発明のうち、代表的なものの概要を簡単に説明すれば、下記のとおりである。
本考案の３面取り付け金具は、円柱に他の構造物を取り付けるための３面取り付け金具であって、前記円柱の円周に沿って配置される３個の固定金具からなり、前記各固定金具は、前記円柱の延長方向と直交する方向から見たとき、互いに対向する２つの当接部と、前記２つの当接部の前記円柱側とは反対側において前記２つの当接部を接続する接続部とを有し、前記２つの当接部は、前記円柱に当接し、凹凸が形成された円弧部を有し、前記接続部は、両端に所定の角度で立ち上がり、孔が形成された立ち上がり部を有し、前記各固定金具の前記立ち上がり部の前記孔にボルトを通してナットで締め付けることにより、前記各固定金具を前記円柱に固定することを特徴とする３面取り付け金具である。
【考案の効果】
【０００５】
本願において開示される考案のうち代表的なものによって得られる効果を簡単に説明すれば、下記のとおりである。
本考案によれば、ボルトの長さを変えることにより、外形サイズが異なる多種類の円柱に対して３面取り付け金具を取り付けることが可能となる。
【考案を実施するための最良の形態】
【０００６】
以下、図面を参照して本考案の実施例を詳細に説明する。なお、考案の実施例を説明するための全図において、同一機能を有するものは同一符号を付け、その繰り返しの説明は省略する。
本実施例では、支柱として使用される円柱に３セクタ方式で基地局用アンテナを取り付けるための３面取り付け金具に本考案を適用した例について説明する。
図１乃至図７は、本考案の一実施例の３面取り付け金具に係る図であり、
図１は、３面取り付け金具を第１の円柱に固定した状態を示す斜視図、
図２は、３面取り付け金具を第１の円柱に固定した状態を示す平面図（円柱の延在方向から見たときの図）、
図３は、３面取り付け金具を第１の円柱に固定した状態を示す正面図（円柱の延在方向と直交する方向から見たときの図）、
図４は、３面取り付け金具を分解した状態を示す図、
図５は、３面取り付け金具を第２の円柱に固定した状態を示す斜視図、
図６は、３面取り付け金具を第２の円柱に固定した状態を示す平面図（円柱の延在方向から見たときの図）、
図７は、３面取り付け金具を第２の円柱に固定した状態を示す正面図（円柱の延在方向と直交する方向から見たときの図）である。
なお、図１乃至図４に示す第１の円柱の外形サイズは例えばφ７６．３（６５Ａ）ｍｍであり、図５乃至図７に示す第２の円柱の外形サイズは例えばφ２１６．３ｍｍ（２００Ａ）である。
【０００７】
本実施例の３面取り付け金具は、外形サイズがφ７６．３ｍｍ（６５Ａ）〜φ２１６．３ｍｍ（２００Ａ）の支柱に取り付けが可能である。また、３面取り付け金具は、円柱２１の円周に沿って配置された３個の固定金具１からなる。３個の固定金具１は、円柱２１の延長方向（長軸方向）から見た時、円柱２１の円周を三等分した位置にそれぞれ配置されている。
各固定金具１は、円柱２１の延長方向と直交する方向（ラジアル方向）から見たとき、円柱２１の延長方向に離間して互いに対向する２つの当接部２と、この２つの当接部２の円柱２１側（内側）とは反対側（外側）において２つの当接部２を接続する接続部６とを有するコの字形状になっている。２つの当接部２は、円柱２１に当接し、凹凸４が形成された円弧部３を有している。接続部６は、両端に所定の角度で立ち上がり、孔８が形成された立ち上がり部７を有している。
本実施例の３面取り付け金具は、円柱２１の円周に沿って各固定金具１を配置し、互いに隣り合う固定金具１の立ち上がり部７における孔８にボルト１１を通してナット１２で締め付けることにより、各固定金具１を円柱に固定する構造になっている。本実施例の３面取り付け金具は３個の固定金具１で構成されているため、ボルト１１及びナット１２で締め付ける箇所は３箇所である。なお、図４において１３は座金である。
【０００８】
各固定金具１の接続部６には、２つの立ち上がり部７の間において、例えば基地局用アンテナを取り付けるための取り付け部９が設けられている。本実施例において、取り付け部９は、例えば孔で形成されている。
このように、本実施例の３面取り付け金具は、円柱２１の円周に沿って配置される３個の固定金具１からなり、各固定金具１は、円柱２１の延長方向と直交する方向から見たとき、互いに対向する２つの当接部２と、この２つの当接部２の円柱２１側（内側）とは反対側（外側）において２つの当接部２を接続する接続部６とを有するコの字形状になっており、２つの当接部２は、円柱２１に当接し、凹凸４が形成された円弧部３を有し、接続部６は、両端に所定の角度で立ち上がり、孔８が形成された立ち上がり部７を有し、円柱２１の円周に沿って各固定金具１を配置し、互いに隣り合う固定金具１の立ち上がり部７における孔８にボルト１１を通してナット１２で締め付けることにより、各固定金具１を円柱２１に固定する構造になっていることから、ボルト１１の長さを変えることにより、外形サイズが異なる多種類の円柱に対して３面取り付け金具を取り付けることが可能である。
【０００９】
なお、図１乃至図３では、外形サイズがφ７６．３ｍｍ（６５Ａ）の円柱２１に３面取り付け金具を取り付けた状態を示し、図５乃至図７では、図１のボルト１１よりも長さが長いボルト１１ａを用いて、外形サイズがφ２１６．３ｍｍ（２００Ａ）の円柱２２に３面取り付け金具を取り付けた状態を示している。
また、本実施例の３面取り付け金具は、各固定金具１に例えば基地局用アンテナを取り付けるための取り付け部９が設けられていることから、各セクタ毎の基地局用アンテナを同じ高さに取り付けることができる。
なお、本実施例の３面取り付け金具は、外形サイズがφ７６．３ｍｍ（６５Ａ）〜φ２１６．３ｍｍ（２００Ａ）の円柱に取り付けが可能である。この場合、最小径の円柱２１に３面取り付け金具を取り付ける時に固定金具同士が干渉しないように各固定金具１の長さを選定する必要がある。本実施例では、各固定金具１の長さは例えば１５０ｍｍ程度である。
また、各固定金具１の長さは、取り付け可能な円柱の外形サイズの範囲に合わせて選定する必要がある。本実施例では、取り付け可能な円柱の外形サイズの範囲がφ７６．３ｍｍ（６５Ａ）〜φ２１６．３ｍｍ（２００Ａ）であり、これに合わせて各固定金具１は、例えば１５０ｍｍ程度の長さに設定されている。
【００１０】
また、円柱２１の円周に沿って各固定金具１を配置した時、互いに隣り合う固定金具１の立ち上がり部７が平行となるように、円柱２１の接線（固定金具１の接続部６）に対する立ち上がり部７の角度を選定する必要がある。本実施例の３面取り付け金具では、３個の固定金具１で構成されているため、円柱２１の接線（固定金具１の接続部６）に対する立ち上がり部７の角度は例えば３０°に設定されている。
以上、本考案者によってなされた考案を、前記実施例に基づき具体的に説明したが、本考案は、前記実施例に限定されるものではなく、その要旨を逸脱しない範囲において種々変更可能であることは勿論である。
【図面の簡単な説明】
【００１１】
【図１】本考案の一実施例の３面取り付け金具を第１の円柱に固定した状態を示す斜視図である。
【図２】本考案の一実施例の３面取り付け金具を第１の円柱に固定した状態を示す平面図（円柱の延在方向から見たときの図）である。
【図３】本考案の一実施例の３面取り付け金具を第１の円柱に固定した状態を示す正面図（円柱の延在方向と直交する方向から見たときの図）である。
【図４】本考案の一実施例の３面取り付け金具を分解した状態を示す図である。
【図５】本考案の一実施例の３面取り付け金具を第２の円柱に固定した状態を示す斜視図である。
【図６】本考案の一実施例の３面取り付け金具を第２の円柱に固定した状態を示す平面図（円柱の延在方向から見たときの図）である。
【図７】本考案の一実施例の３面取り付け金具を第２の円柱に固定した状態を示す正面図（円柱の延在方向と直交する方向から見たときの図）である。
【符号の説明】
【００１２】
１  固定金具
２  当接部
３  円弧部
４  凹凸
６  接続部
７  立ち上がり部
８  孔
９  取り付け部
１１，１１ａ  ボルト
１２  ナット
１３  座金
２１，２２  円柱
【図１】
0003142632.tif 000003
【図２】
0003142632.tif 000004
【図３】
0003142632.tif 000005
【図４】
0003142632.tif 000006
【図５】
0003142632.tif 000007
【図６】
0003142632.tif 000008
【図７】
0003142632.tif 000009